(57)【要約】【課題】  巻芯に巻き付けられて発生するペーパーのテンションを利用して各巻取りガイド及び付設ガイドを自動的に開放する機構を採用した上で、ペーパーにダメージを与えることのないペーパーマガジンを提供する。【解決手段】  セット位置状態においてペーパーが巻芯への接線よりも内側を通るよう、巻取りガイドの巻芯近傍部を該接線よりも内側に位置させることで、モーメントの腕の長さが長くなり、小さな力で巻取りガイドを押し上げることができる。そのため、巻取りガイドからペーパーが受ける反力も必然的に小さくなり、ペーパーがダメージを受けることはなくなる。【選択図】  図６
2006098713.tif 000002
【特許請求の範囲】
【請求項１】
マガジン本体内に、巻芯と、それぞれ基端部にて揺動自在に支持された複数の巻取りガイドと、巻取りガイドが巻芯の周辺を渦巻き放射状に取り囲むセット位置状態と巻取りガイドが巻芯から離間するセット解除位置状態とに各巻取りガイドを切り替え可能とすべく、各巻取りガイドを作動的に連結する作動機構とを備えたペーパーマガジンにおいて、
複数の巻取りガイドのうち、マガジン本体のペーパー受入口側に位置する巻取りガイドは、セット位置状態においてペーパーが巻芯への接線よりも内側を通るよう、巻取りガイドの巻芯近傍部を該接線よりも内側に位置させ、しかも、巻芯に巻き付けられて発生するペーパーのテンションに基づいて、巻芯から離間する方向に揺動するよう構成されてなることを特徴とするペーパーマガジン。
【請求項２】
前記マガジン本体のペーパー受入口側に位置する巻取りガイドは、前記揺動支点となる基端部を備えて作動機構に作動的に連結され且つ巻芯を取り囲む部位の少なくとも一部を構成する第１部材と、基端部を第１部材の基端部側に配置した上で該基端部にて第１部材に揺動自在に支持され且つ前記巻芯近傍部を備えて少なくとも巻芯までの部位を構成する第２部材とを備え、
さらに、セット解除位置状態側に常時付勢される第１部材に対し、該付勢に抗してセット位置状態を実現すべく駆動力を伝達する駆動機構と、
巻芯に巻き付けられて発生するペーパーのテンションに基づいて第２部材が第１部材側に揺動するのに応じ、駆動力の伝達を遮断するロック解除機構とを備えることを特徴とする請求項１に記載のペーパーマガジン。
【請求項３】
前記駆動機構は、第１部材に挿通され且つ該第１部材の長手方向所定範囲で移動可能なロックピンと、一方側に移動したロックピンを係止可能な係止部を備えて揺動自在な駆動レバーと、該駆動レバーの揺動操作を行うアクチュエータとを備えて構成されると共に、
前記ロック解除機構は、前記第２部材と、該第２部材及びロックピンを作動的に連結するリンク系とを備えて構成され、且つ該リンク系は、第２部材が第１部材側に揺動すると、ロックピンを他方側に移動させるよう構成されてなることを特徴とする請求項２に記載のペーパーマガジン。
【請求項４】
前記マガジン本体のペーパー受入口側に位置する巻取りガイドにおける先端部を除く部位に沿うように配置され、作動機構により各巻取りガイドと同期して揺動操作される付設ガイドをさらに備えることを特徴とする請求項１乃至３の何れか１項に記載のペーパーマガジン。
【請求項５】
マガジン本体がケース本体と蓋体との二分割開閉式に構成され、少なくとも作動機構がケース本体と蓋体とに跨る部分については、該部分にて作動機構を分離可能に構成されてなることを特徴とする請求項１乃至４の何れか１項に記載のペーパーマガジン。
【発明の詳細な説明】
【技術分野】
【０００１】
本発明は、感光材料、プリント紙、あるいは感熱紙といったペーパーを収容するペーパーマガジンに関し、より詳しくは、長尺のまま露光処理や印刷処理等が施されたペーパーを切断することなくロール状に巻き取って回収するペーパーマガジンに関する。
【背景技術】
【０００２】
ペーパーに露光処理や印刷処理を施して画像を形成する画像形成装置には、大量処理向けのものがある。かかる画像形成装置は、装置本体に対し、供給用ペーパーマガジンと、回収用ペーパーマガジンとが着脱自在に構成され、供給用ペーパーマガジンから装置本体内に繰り出される長尺なペーパーに画像形成処理を施した後、該ペーパーを切断することなくそのままロールにして回収用ペーパーマガジン内に収める、いわゆるRoll-to-Roll（ロール−トゥー−ロール）と呼ばれる画像形成装置である。
【０００３】
この種の装置は、装置本体から排出されるペーパーの先端が回収用ペーパーマガジンの巻芯に巻き付いた後は、該巻芯が装置本体の駆動系と同期して回転することにより、画像形成処理を終えたペーパーを回収用ペーパーマガジン内に順次巻き取っていくことができる構成であるため、装置本体から排出されるペーパーの先端を如何にして回収用ペーパーマガジンの巻芯に自動的に巻き付かせるかが省人化のポイントとなってくる。
【０００４】
この観点から発明された回収用ペーパーマガジンとしては、以下に説明する特許文献１に記載されたものが公知である。該回収用ペーパーマガジンは、図９（イ）に示す如く、マガジン本体１’に配置した巻芯２’を中心として、その周辺に渦巻き放射状に複数の巻取りガイド３’，４’，５’をその各基端部を支点として揺動自在に支持することにより、各巻取りガイド３’，４’，５’の先端部内面を組み合わせて巻芯２’の周囲にペーパーＰ’の環状経路６’を形成すると共に、巻取りガイド３’，４’，５’のうち、マガジン本体１’のペーパー受入口１ａ’側に位置する巻取りガイド３’と対向させて付設ガイド７’を配置することにより、ペーパー受入口１ａ’を介してマガジン本体１’内に送り込まれたペーパーＰ’を環状経路６’に案内するための誘導経路８’を形成している。
【０００５】
付設ガイド７’も、他の巻取りガイド３’，４’，５’と同様、その基端部を支点として揺動自在に支持されている。そして、付設ガイド７’の先端部が誘導経路８’から離間する方向に揺動するのに同期して他の巻取りガイド３’，４’，５’もその先端部が環状経路６’から離間する方向に揺動するよう、各巻取りガイド３’，４’，５’及び付設ガイド７’は、リンク機構９ａ’〜９ｆ’（作動機構）を介して作動的に連結されている。
【０００６】
このように構成された回収用ペーパーマガジンによれば、ペーパー受入口１ａ’からマガジン本体１’内に送り込まれたペーパーＰ’の先端は、誘導経路８’を通って環状経路６’内に入り込む。この時、ペーパーＰ’及び巻芯２’間の摩擦力により、ペーパーＰ’の先端が巻き付き、しかる後は、巻芯２’の回転に伴ってペーパーＰ’が巻き取られていく。そして、ペーパーＰ’が巻芯２’に所定周回分巻き取られると、ペーパーＰ’が巻芯２’から離脱するおそれがなく、また、巻き取られるペーパーＰ’が巻取りガイド３’等との摺接によりダメージを受けるのを避ける必要性があるため、図９（ロ）に示す如く、各巻取りガイド３’，４’，５’及び付設ガイド７’を退避方向に揺動させて、環状経路６’及び誘導経路８’を開放するようにしている。
【特許文献１】実開昭６３−５８２３５号公報
【発明の開示】
【発明が解決しようとする課題】
【０００７】
ところで、上記回収用ペーパーマガジンは、ペーパーＰ’が巻芯２’に巻き付けられることにより該ペーパーＰ’にテンションが発生し、該ペーパーＰ’がリンク９ａ’の傍のローラ及び巻芯２’の共通接線に向かって真っ直ぐになるように変位しようとするその力を利用して付設ガイド７’を持ち上げさせ、これにより、リンク機構９ａ’〜９ｆ’（作動機構）を介して各巻取りガイド３’，４’，５’を同期的に退避方向に揺動させて、環状経路６’及び誘導経路８’を開放する機構を採用している。
【０００８】
しかしながら、上記回収用ペーパーマガジンでは、付設ガイド７’がペーパーＰ’から受ける力の作用点（ペーパーＰ’の変位量の大きい部位、即ち、付設ガイド７’の湾曲部）と付設ガイド７’の揺動中心との距離が短いため、モーメントの法則により、付設ガイド７’に作用する力が大きくなければ、即ちペーパーＰ’に発生するテンションが大きくならなければ、付設ガイド７’は持ち上がらない。逆に言えば、付設ガイド７’からペーパーＰ’が受ける反力も必然的に大きくなり、その大きな反力によってペーパーＰ’がダメージを受けるおそれがある。
【０００９】
そこで、本発明は、上記問題に鑑みてなされたもので、巻芯に巻き付けられて発生するペーパーのテンションを利用して各巻取りガイド及び付設ガイドを自動的に開放する機構を採用した上で、ペーパーにダメージを与えることのないペーパーマガジンを提供することを課題とするものである。
【課題を解決するための手段】
【００１０】
本発明は、マガジン本体内に、巻芯と、それぞれ基端部にて揺動自在に支持された複数の巻取りガイドと、巻取りガイドが巻芯の周辺を渦巻き放射状に取り囲むセット位置状態と巻取りガイドが巻芯から離間するセット解除位置状態とに各巻取りガイドを切り替え可能とすべく、各巻取りガイドを作動的に連結する作動機構とを備えたペーパーマガジンにおいて、複数の巻取りガイドのうち、マガジン本体のペーパー受入口側に位置する巻取りガイドは、セット位置状態においてペーパーが巻芯への接線よりも内側を通るよう、巻取りガイドの巻芯近傍部を該接線よりも内側に位置させ、しかも、巻芯に巻き付けられて発生するペーパーのテンションに基づいて、巻芯から離間する方向に揺動するよう構成されてなることを特徴とする。
【００１１】
かかる構成によれば、各巻取りガイドの先端部内面を組み合わせて巻芯の周囲にペーパー巻取りのための環状経路が形成され（セット位置状態）、これを介してペーパーの先端を巻芯に巻き付かせることができ、しかる後、巻芯に所定長さのペーパーが巻き付けば、ペーパーにテンションが発生することで、該ペーパーが巻芯への接線に向かって変位し、言い換えると該接線に沿うように変位し、その力が巻取りガイドに作用することで、巻取りガイドは巻芯から離間する方向に揺動する。また、この巻取りガイドは作動機構を介して他の巻取りガイドと作動的に連結されているため、他の巻取りガイドも同様に巻芯から離間する方向に揺動する。その結果、環状経路は開放され（セット解除位置状態）、しかる後は、その状態でペーパーが巻芯に巻き取られていく。
【００１２】
また、本発明は、前記マガジン本体のペーパー受入口側に位置する巻取りガイドは、前記揺動支点となる基端部を備えて作動機構に作動的に連結され且つ巻芯を取り囲む部位の少なくとも一部を構成する第１部材と、基端部を第１部材の基端部側に配置した上で該基端部にて第１部材に揺動自在に支持され且つ前記巻芯近傍部を備えて少なくとも巻芯までの部位を構成する第２部材とを備え、さらに、セット解除位置状態側に常時付勢される第１部材に対し、該付勢に抗してセット位置状態を実現すべく駆動力を伝達する駆動機構と、巻芯に巻き付けられて発生するペーパーのテンションに基づいて第２部材が第１部材側に揺動するのに応じ、駆動力の伝達を遮断するロック解除機構とを備える構成を採用することができる。
【００１３】
かかる構成によれば、セット位置状態からしかる後に巻芯に所定長さのペーパーが巻き付けば、ペーパーにテンションが発生することで、該ペーパーが巻芯への接線に向かって変位し、その力が第２部材に作用することで、第２部材は第１部材側に揺動する。すると、ロック解除機構が働き、駆動機構による駆動力の伝達が遮断され、第１部材は第２部材と共にその付勢力により巻芯から離間する方向に揺動する。また、第１部材は作動機構を介して他の巻取りガイドと作動的に連結されているため、他の巻取りガイドも同様に巻芯から離間する方向に揺動する。その結果、環状経路は開放され、セット解除位置状態が実現される。
【００１４】
その場合、本発明は、前記駆動機構は、第１部材に挿通され且つ該第１部材の長手方向所定範囲で移動可能なロックピンと、一方側に移動したロックピンを係止可能な係止部を備えて揺動自在な駆動レバーと、該駆動レバーの揺動操作を行うアクチュエータとを備えて構成されると共に、前記ロック解除機構は、前記第２部材と、該第２部材及びロックピンを作動的に連結するリンク系とを備えて構成され、且つ該リンク系は、第２部材が第１部材側に揺動すると、ロックピンを他方側に移動させるよう構成されてなるようにすることができる。
【００１５】
かかる構成によれば、ペーパーからの力が第２部材に作用することで、第２部材は第１部材側に揺動する。すると、リンク系を介してロックピンが他方側に移動して駆動レバーの係止部から外れ、第１部材が駆動機構から開放されることで、第１部材は第２部材と共にその付勢力により巻芯から離間する方向に揺動する。セット解除位置状態になると、第２部材は例えば自重により第１部材から離間する方向に揺動し、これに伴ってロックピンがリンク系を介して一方側に復帰させられる。この状態で駆動機構の駆動レバーはロックピンを係止可能となるので、駆動機構を作動させれば、第１部材は第２部材と共にその付勢に抗して巻芯側に揺動され、これに伴い、他の巻取りガイドも同様に巻芯側に揺動され、その結果、セット位置状態が再び実現される。
【００１６】
また、本発明は、前記マガジン本体のペーパー受入口側に位置する巻取りガイドにおける先端部を除く部位に沿うように配置され、作動機構により各巻取りガイドと同期して揺動操作される付設ガイドをさらに備える構成を採用することが好ましい。
【００１７】
かかる構成によれば、ペーパー受入口側に位置する巻取りガイドにおける先端部を除く部位の内面と付設ガイドの内面との間に、ペーパー受入口から環状経路に繋がる誘導経路が形成され、マガジン本体内に送り込まれたペーパーを確実に巻芯に導くことができる。
【００１８】
また、本発明は、マガジン本体がケース本体と蓋体との二分割開閉式に構成され、少なくとも作動機構がケース本体と蓋体とに跨る部分については、該部分にて作動機構を分離可能な構成を採用するのが好ましい。かかる構成によれば、支障なくマガジン本体を開閉することができる。
【発明の効果】
【００１９】
以上のように、本発明は、セット位置状態においてペーパーが巻芯への接線よりも内側を通るよう、巻取りガイドの巻芯近傍部を該接線よりも内側に位置させているため、テンションにより真っ直ぐになろうとするペーパーから受ける力の作用点が巻取りガイドの巻芯近傍部となり、モーメントの腕の長さが長くなる分、巻取りガイドに作用する力を小さくすることができる。従って、巻取りガイドからペーパーが受ける反力も必然的に小さくすることができて、ペーパーがダメージを受けるのを好適に防止することができる。
【発明を実施するための最良の形態】
【００２０】
以下、本発明の実施形態に係るペーパーマガジンを説明するに先立ち、該ペーパーマガジンを適用する写真処理装置（現像処理装置を備えない露光処理装置（画像形成装置）のみの写真処理装置）の概略構成について図１及び図２を参酌しつつ説明する。
【００２１】
上記写真処理装置は、搬送される長尺な感光材料Ｐに連続的に露光処理を施し、該露光処理済みの感光材料Ｐをロール状に巻き取って回収する、いわゆるRoll-to-Rollシステムが採用されている。即ち、上記写真処理装置は、長尺な感光材料Ｐに露光処理を連続的に行う装置本体１と、感光材料Ｐを収容可能に構成されると共に、該感光材料Ｐを装置本体１に供給する供給用ペーパーマガジン２と、露光処理後の感光材料Ｐをロール状に巻き取って回収する回収用ペーパーマガジン３とで構成されている。
【００２２】
装置本体１は、感光材料Ｐを搬送する搬送機構１０と、該搬送機構１０で搬送される感光材料Ｐに露光処理を施す露光ユニット１１と、感光材料Ｐを所定の長さで切断する切断装置１２とを備えており、これらは、筐体１３内に内装されている。また、装置本体１は、供給用ペーパーマガジン２が連結される供給側連結部１４と、回収用ペーパーマガジン３が連結される回収側連結部１５とを備えている。
【００２３】
搬送機構１０は、供給側連結部１４と回収側連結部１５との間で感光材料Ｐを搬送する搬送経路を形成しており、感光材料Ｐを搬送する複数の搬送ローラ対１００，…が、感光材料Ｐを搬送する方向に所定の間隔を有して配設されることによって構成されている。即ち、搬送機構１０は、供給側連結部１４に連結された供給用ペーパーマガジン２から供給されてくる感光材料Ｐを複数の搬送ローラ対１００，…で搬送し、回収側連結部１５に連結された回収用ペーパーマガジン３に送り込むように構成されている。
【００２４】
露光ユニット１１には、レーザー露光装置（レーザービーム方式の露光装置）が採用されている。尚、露光ユニット１１には、レーザービーム方式の他、ＰＬＺＴシャッター方式や、液晶シャッター方式、蛍光ビーム方式等の種々の露光装置を採用することができ、装置の仕様、露光処理の精度等に応じて適宜選択して採用することができる。
【００２５】
切断装置１２は、供給側連結部１４の下流側であって、感光材料Ｐに対して露光処理を行う露光領域の上流側に設けられており、供給用ペーパーマガジン２から連続的に供給されてくる長尺な感光材料Ｐを任意の箇所で切断できるようになっている。このように切断装置１２を設けることで、感光材料Ｐの搬送等のトラブルが発生した場合や、回収用ペーパーマガジン３での感光材料Ｐの回収状況、露光処理のオーダーの状況等に応じて、長尺な感光材料Ｐを適宜切断できるようになっている。
【００２６】
供給側連結部１４は、筐体１３の一方の側面側に供給用ペーパーマガジン２を連結可能に形成されている。具体的に説明すると、供給側連結部１４は、供給用ペーパーマガジン２の装着部２０を装填する供給側装填口１４０が筐体１３の一方の側面に形成されており、装着部２０が装填される供給側装填空間１４１が供給側装填口１４０から筐体１３の内部側に奥まって形成されている。
【００２７】
また、供給側装填空間１４１の上部位置には、供給用ペーパーマガジン２のペーパー供給口２１１から送り込まれる感光材料Ｐを受け入れるスリット状のペーパー受入口１４２が形成された供給側遮光体１４３が設けられている。該供給側遮光体１４３は、ペーパー受入口１４２が搬送機構１０を構成する最上流の搬送ローラ対１００及び適正な姿勢で装填された供給用ペーパーマガジン２のペーパー供給口２１１に対応するように配置され、これにより、供給側連結部１４に供給用ペーパーマガジン２の装着部２０が装着された状態で、ペーパー供給口２１１から供給される感光材料Ｐが露光処理前に感光されてしまうことなく、装置本体１内に供給できるようになっている。
【００２８】
さらに、供給側連結部１４は、供給用ペーパーマガジン２からの感光材料Ｐを受け入れるべく、供給用ペーパーマガジン２の送出ローラ対２１４を駆動するための供給側駆動伝達機構（図示しない）を備えている。該供給側駆動伝達機構は、ギヤ、チェーン等の機械要素の組み合わせにより構成されており、連結された供給用ペーパーマガジン２の送出ローラ対２１４に回転を伝達できるようになっている。
【００２９】
回収側連結部１５は、筐体１３の他方の側面側に回収用ペーパーマガジン３を連結可能に形成されている。具体的に説明すると、回収側連結部１５は、回収用ペーパーマガジン３の一部を装填する回収側装填口１５０が筐体１３の他方の側面に形成されており、回収用ペーパーマガジン３の一部が収容される回収側装填空間１５１が回収側装填口１５０から筐体１３の内部側に奥まって形成されている。
【００３０】
また、回収側装填空間１５１の上部位置には、回収用ペーパーマガジン３のペーパー受入口３１に露光処理済みの感光材料Ｐを送り出すスリット状のペーパー送出口１５２が形成された回収側遮光体１５３が設けられている。該回収側遮光体１５３は、ペーパー送出口１５２が搬送機構１０を構成する最下流の搬送ローラ対１００及び適正な姿勢で装填された回収用ペーパーマガジン３のペーパー受入口３１に対応するように配置されている。これにより、該回収側連結部１５に回収用ペーパーマガジン３が装着された状態で、回収用ペーパーマガジン３及び回収側遮光体１５３が密接状態になり且つペーパー送出口１５２及びペーパー受入口３１が連通することにより、ペーパー送出口１５２から送り出される感光材料Ｐが露光処理後に感光されてしまうことなく、回収用ペーパーマガジン３内に供給できるようになっている。
【００３１】
さらに、回収側連結部１５は、露光処理済みの感光材料Ｐを巻き取るべく回収用ペーパーマガジン３内に設けられたホルダーユニット３３を駆動するための回収側駆動伝達機構（図示しない）を備えている。該回収側駆動伝達機構は、ギヤ、チェーン等の機械要素の組み合わせにより構成されており、連結された回収用ペーパーマガジン３のホルダーユニット３３に回転を伝達できるようになっている。
【００３２】
供給用ペーパーマガジン２は、大径のロール体Ｒ（例えば、長さが４０００フィート（１２１９ｍ）で幅が１０インチ（２５４ｍｍ）の感光材料Ｐのロール体であって、重量が約８０ｋｇのロール体）を収容可能に構成され、重量がロール体Ｒと合わせて約１６０ｋｇとなる大型のペーパーマガジンである。該供給用ペーパーマガジン２は、上述の如く、ロール体Ｒを収容した状態で重量物になって作業者の労働負担が大きくなるといった理由から、作業者の手押しによって走行させる走行式となっている。
【００３３】
また、供給用ペーパーマガジン２は、長尺な感光材料Ｐのロール体Ｒを回転可能に収容する収容部２１と、上述の装着部２０とを備えている。収容部２１は、ロール体Ｒを収容するマガジン本体２１０と、該マガジン本体２１０にロール体Ｒを軸支させるためのホルダーユニット２２１とで構成され、マガジン本体２１０は、ロール体Ｒの周囲を包囲するように形成されたケース本体２１０ａと、該ケース本体２１０ａに回転自在に支持された蓋体２１０ｂとの二分割開閉式に構成されており、蓋体２１０ｂを閉状態にすることで内部を暗室状態にすることができるようになっている。
【００３４】
回収用ペーパーマガジン３は、回収した長尺な感光材料Ｐのロール体Ｒ’を収容するマガジン本体３２と、上述のホルダーユニット３３とで構成され、マガジン本体３２は、ロール体Ｒ’の周囲を包囲するように形成されたケース本体３２ａと、該ケース本体３２ａに回転自在に支持された蓋体３２ｂとの二分割開閉式に構成されており、供給用ペーパーマガジン２と同様、蓋体３２ｂを閉状態にすることで内部を暗室状態にすることができるようになっている。
【００３５】
尚、回収用ペーパーマガジン３は、別途用意された現像処理装置にも装着できるように構成されており、回収された感光材料Ｐ（ロール体Ｒ’）を取り出すことなく、現像処理装置に送り出せるようになっている。
【００３６】
写真処理装置の概略説明を以上の通りで、以下は、本実施形態において特徴となる回収用ペーパーマガジン３の構成について図面を参酌しつつ詳細に説明する。
【００３７】
まず、図３に示す如く、ホルダーユニット３３は、感光材料Ｐを巻き取るための巻芯３３０を備え、ケース本体３２ａに着脱自在に取り付けられる。巻芯３３０は、円柱状若しくは円筒状の巻芯本体３３１と、該巻芯本体３３１の軸中心に配置され、該巻芯本体３３１との相対回転変位を許容する軸体３３２とを備えている。また、軸体３３２は、巻芯本体３３１の各端面からそれぞれ所定量突出する長さに形成されており、該一対の突出端部３３２ａ，３３２ａがケース本体３２ａの開口縁部であってケース本体３２ａの幅方向に設けられた一対のスリット３２０ａ，３２０ａ（より正確には、ケース本体３２ａの開口縁部の内側であってケース本体３２ａの幅方向に取り付けられた一対のブロック３２０，３２０のそれぞれに形成されたスリット３２０ａ，３２０ａ）に係入することにより、ホルダーユニット３３をケース本体３２ａに取り付けた状態で、巻芯本体３３１が軸体３３２周りに回転でき、感光材料Ｐを巻き取れるようになっている。
【００３８】
巻芯３３０は、巻芯本体３３１に回り止めされた状態で外嵌装着される筒状のコア３３３をさらに備えている。該コア３３３は、巻芯本体３３１から外した状態でロール状に巻き取られた感光材料Ｐの芯を構成するもので、処理対象となる感光材料Ｐの幅サイズに応じて各種の幅（軸方向長さ）サイズのものが選択的に用いられる。コア３３３の詳細な説明は後述するが、何れの幅サイズのコア３３３であっても、その幅方向中心が巻芯本体３３１の幅方向中心と略一致するように巻芯本体３３１に外嵌装着される。
【００３９】
また、ホルダーユニット３３は、リール板３３４をさらに備えている。該リール板３３４は、巻芯本体３３１の外径と一致する円孔３３４ａを中心に備えたディスク盤であり、操作部３３４ｂを引き操作することにより、円孔３３４ａ内に進出する爪３３４ｃ，３３４ｃが円孔３３４ａから退避して、リール板３３４を巻芯本体３３１に外挿することができ、また、巻芯本体３３１の外周面に形成された円周溝３３１ａが所在する位置で操作部３３４ｂを解除操作することにより、爪３３４ｃ，３３４ｃが円孔３３４ａ内に進出すると共に円周溝３３１ａに係入し、リール板３３４を巻芯本体３３１に固定することができる。
【００４０】
円周溝３３１ａは、何れの幅サイズのコア３３３が取り付けられた状態であっても、コア３３３の両開口端近傍に所在するよう複数形成されており、処理対象となる感光材料Ｐの幅サイズに応じて選択されたコア３３３の両開口端に所在するそれぞれ円周溝３３１ａにリール板３３４を取り付ける。このように、一対のリール板３３４，３３４の間隔をコア３３３の幅サイズ（即ち、処理対象となる感光材料Ｐの幅サイズ）と一致させることにより、一対のリール板３３４，３３４が感光材料Ｐの蛇行を規制し、感光材料Ｐをきれいに巻き取っていくことができるのである。
【００４１】
また、巻芯３３０は、巻芯本体３３１の一方の端面に固定された出力ギヤ３３５が設けられている。該出力ギヤ３３５は、上述の如く、装置本体１の回収側連結部１５に設けられた回収側駆動伝達機構からマガジン本体３２内に配置された中間伝達機構（図示しない）を介して駆動が伝達されることにより、巻芯本体３３１が装置本体１の搬送機構１０（搬送ローラ対１００，…）と同期して回転するようになっている。
【００４２】
尚、中間伝達機構から出力ギヤ３３５にかけての歯車比を適宜設定して、巻芯３３０における感光材料Ｐの巻取り速度が装置本体１の搬送機構１０における感光材料Ｐの搬送速度（正確には、装置本体１から回収用ペーパーマガジン３へ送り出される感光材料Ｐの搬送速度）よりも速くなるようにしている。これは、感光材料Ｐにバックテンションを与えて該感光材料Ｐをたるみのないきれいな状態で巻き取るための施策である。但し、バックテンションが強すぎると感光材料Ｐがダメージを受けるおそれがあるため、中間伝達機構の一部にスベリクラッチを介設し、感光材料Ｐに一定値以上のバックテンションが掛からないようにしている。
【００４３】
また、回収用ペーパーマガジン３は、図４に示す如く、巻芯３３０を中心として、その周辺に渦巻き放射状に複数の巻取りガイド（第１巻取りガイド３５、第２巻取りガイド３６、第３巻取りガイド３７）をマガジン本体３２内に備えている。巻取りガイド３５，３６，３７は、それぞれ基端部を支点として揺動自在に支持されており、各巻取りガイド３５，３６，３７の先端部内面を組み合わせて巻芯３３０の周囲に感光材料Ｐの環状経路Ｌを形成する。
【００４４】
第１巻取りガイド３５は、巻芯３３０の上方約３分の１円弧を覆うように先端部が巻芯３３０に沿って湾曲された板状体であり、第２巻取りガイド３６は、巻芯３３０の下方約３分の１円弧を覆うように先端部が巻芯３３０に沿って湾曲された板状体であり、第３巻取りガイド３７は、巻芯３３０の前方約３分の１円弧を覆うように先端部が巻芯３３０に沿って湾曲された板状体であり、それぞれの基端部に取り付けられた第１軸３５０、第２軸３６０、第３軸３７０がマガジン本体３２に支持されて揺動自在となる。
【００４５】
さらに、回収用ペーパーマガジン３は、巻取りガイド３５，３６，３７のうち、マガジン本体３２のペーパー受入口３１側に位置する（即ち、ペーパー受入口３１を介してマガジン本体３２内に送り込まれた感光材料Ｐの先端が最初に接触する）巻取りガイド３５と対向する付設ガイド３８をさらに備えている。付設ガイド３８も、基端部を支点として揺動自在に支持されており、第１巻取りガイド３５の基端部から先端部に至るまでの直線状部位との間で、感光材料Ｐをペーパー受入口３１から環状経路Ｌに案内するための誘導経路Ｍを形成する。該付設ガイド３８は、先端部が湾曲されていない板状体であり、基端部に取り付けられた第４軸３８０がマガジン本体３２に支持されて揺動自在となる。
【００４６】
図５に示す如く、第２巻取りガイド３６、第３巻取りガイド３７及び付設ガイド３８が単一の板状体からなるのに対し、第１巻取りガイド３５は、円弧状部位を構成する第１部材３５１と、該第１部材３５１よりも誘導経路Ｍ側に位置され、直線状部位を構成する第２部材３５２とを備えてなる。具体的には、第２部材３５２の先端部に形成された開口に対し、第１部材３５１の円弧状に湾曲された先端部が外側から内側に挿通された状態で、第２部材３５２は基端部を支点（ヒンジ３５３）として第１部材３５１に揺動自在に支持されている。
【００４７】
また、巻取りガイド３５，３６，３７及び付設ガイド３８は、第１軸３５０の端部に取り付けられた第１軸レバー３５４、第２軸３６０の端部に取り付けられた第２軸レバー３６１、第３軸３７０の端部に取り付けられた第３軸レバー３７１及び第４軸３８０の端部に取り付けられた第４軸レバー３８１と作動機構が作動的に連結されることにより、作動的に連結されている。
【００４８】
作動機構は、中間部が第１軸レバー３５４と作動的に連結される第１リンク４００と、一端部が第２軸レバー３６１と作動的に連結される第２リンク４０１と、一端部が第３軸レバー３７１と作動的に連結される第３リンク４０２と、一端部が第１リンク４００の一端部と作動的且つ分離可能に連結される第４リンク４０３と、中間部を支点としてマガジン本体３２に揺動自在に支持され且つ一端部が第１リンク４００の他端部と作動的に連結され且つ他端部が第２リンク４０１の他端部と作動的に連結される第１中間リンク４０４と、中間部を支点としてマガジン本体３２に揺動自在に支持され且つ一端部が第３リンク４０２の他端部と作動的に連結され且つ他端部が第４リンク４０３の他端部と作動的に連結される第２中間リンク４０５と、中間部を支点としてマガジン本体３２に揺動自在に支持され且つ一端部が第４リンク４０３の中間部と作動的に連結され且つ他端部が第４軸レバー３８１と作動的に連結される第３中間リンク４０６とからなる。
【００４９】
従って、第１軸レバー３５４が矢印方向に回転すれば、（ｉ）第１リンク４００が矢印方向に移動し、これにより、第１中間リンク４０４が矢印方向に回転し、これにより、第２リンク４０１が矢印方向に移動し、これにより、第２軸レバー３６１が矢印方向に回転すると共に、（ii）第１リンク４００の移動によって第４リンク４０３も矢印方向に移動し、これにより、第２中間リンク４０５が矢印方向に回転し、これにより、第３リンク４０２が矢印方向に移動し、これにより、第３軸レバー３７１が矢印方向に回転すると共に、（iii)第４リンク４０３の移動によって第３中間リンク４０６が矢印方向に回転し、これにより、第４軸レバー３８１が矢印方向に回転する。そして、軸レバー３５４，３６１，３７１，３８１が矢印方向に回転することにより、各巻取りガイド３５，３６，３７及び付設ガイド３８が回転軸３５０，３６０，３７０，３８０回りであって矢印方向、即ち巻芯３３０に接近する方向に揺動する。その結果、各巻取りガイド３５，３６，３７の先端部と巻芯３３０との間に前記環状経路Ｌが形成されると共に、巻取りガイド３５と付設ガイド３８との間に前記誘導経路Ｍが形成される、セット位置状態が実現される。
【００５０】
また、作動機構は、各巻取りガイド３５，３６，３７及び付設ガイド３８が巻芯３３０から離間する方向に常時付勢されており、該付勢に抗したセット位置状態への駆動力が遮断されると、各リンク、レバーは矢印と反対方向に回転乃至移動し、これにより、各巻取りガイド３５，３６，３７及び付設ガイド３８が巻芯３３０から離間する方向に揺動する。その結果、図７に示す如く、環状経路Ｌ及び誘導経路Ｍが開放される、セット解除位置状態が実現される。
【００５１】
ここで、図５に戻り、回収用ペーパーマガジン３は、作動機構に駆動力を伝達してセット位置状態を実現するための駆動機構を備えている。該駆動機構は、アクチュエータ４１０と、該アクチュエータ４１０のロッドに作動的に連結され且つ第１軸３５０に取り付けられた駆動レバー４１１と備えて構成されたものである。また、駆動レバー４１１は、第１巻取りガイド３５（の第１部材３５１）に設けられたロックピン３５５に係止される係止部４１１ａを備えており、該係止部４１１ａがロックピン３５５に係止した状態でアクチュエータ４１０を作動させて駆動レバー４１１を矢印方向に回転させることで、第１巻取りガイド３５が矢印方向に揺動し、これに応じて第１軸レバー３５４が矢印方向に回転することにより、作動機構を介して第２巻取りガイド３６、第３巻取りガイド３７及び付設ガイド３８が矢印方向に揺動し、セット位置状態が実現される。
【００５２】
一方、セット位置状態を解除してセット解除位置状態を実現するための手段として、ロック解除機構が設けられている。該ロック解除機構は、第１巻取りガイド３５の第２部材３５２と、中間部を支点として第１巻取りガイドの第１部材３５１に揺動自在に支持され且つ他端部が第１巻取りガイド３５の第２部材３５２に作動的に連結される第１操作リンク４２０と、一端部が該第１操作リンク４２０の他端部に作動的に連結され且つ他端部がロックピン３５５の各端部に作動的に連結される第２操作リンク４２１とを備えて構成されたものである。ロックピン３５５は、第１部材３５１の長手方向に形成された長孔に挿通されているため、セット位置状態において、第２部材３５２を第１部材３５１側に揺動させれば、一対の第１操作リンク４２０，４２０が矢印方向に回転し、これにより、一対の第２操作リンク４２１，４２１が矢印方向に移動し、これにより、ロックピン３５５が矢印方向に移動し、よって、駆動レバー４１１の係止部４１１ａによる係止が外れて、各巻取りガイド３５，３６，３７及び付設ガイド３８がその付勢力によって巻芯３３０から離間する方向に揺動し、セット解除位置が実現される。尚、駆動レバー４１１には、係止部４１１ａに連続して円弧面（ガイド面）４１１ｂが形成されており、第１巻取りガイド３５が巻芯３３０から離間する方向に揺動する際、ロックピン３５５がこの円弧面上を摺接しつつ移動するようになっている。
【００５３】
このように、巻取りガイド３５，３６，３７及び付設ガイド３８は、同期して揺動するように作動機構を介して相互が連結されており、駆動機構及びロック解除機構を作動させるだけで、セット位置状態とセット解除位置状態とに迅速に切り替えることができる。
【００５４】
かかる回収用ペーパーマガジン３によれば、図４に示すセット位置状態において、ペーパー受入口３１からマガジン本体３２内に送り込まれた感光材料Ｐの先端が誘導経路Ｍを通って環状経路Ｌ内に入り込む。この時、感光材料Ｐ及び巻芯３３０表面間の摩擦力により、感光材料Ｐの先端が巻き付き、しかる後は、巻芯３３０（巻芯本体３３１）の回転に伴って感光材料Ｐが巻き取られていく。その際、感光材料Ｐにはテンションが発生するため、感光材料Ｐは巻芯３３０への接線（より正確には、上流側の固定端から巻芯３３０への接線）に向かって変位しようとする（図６（イ）参照）。そして、その変位によって第１巻取りガイド３５の第２部材３５２は持ち上げられ、上述したロック解除機構による解除機能が働くこととなる（図６（ロ）参照）。その結果、各巻取りガイド３５，３６，３７及び付設ガイド３８が退避方向に揺動し、環状経路Ｌ及び誘導経路Ｍが開放されて、図７に示すセット解除位置状態となり、しかる後は、その状態で感光材料Ｐが巻芯３３０に巻き取られていく。
【００５５】
尚、セット解除位置状態からセット位置状態に戻す場合は、アクチュエータ４１０を作動させてロッドを引っ込めればよい。これにより、セット解除位置状態にある駆動レバー４１１（図８（イ））が反対側に回転し、ロックピン３５５が円弧面４１１ｂを外れ、そうなると、第１巻取りガイド３５の第２部材３５２が規制を解除されて落下方向に揺動するので、第１操作リンク４２０及び第２操作リンク４２１が回転乃至移動し、ロックピン３５５が係止部４１１ａ内に入り込むように移動する（図８（ロ））。その後、再度アクチュエータ４１０を作動させてロッドを進出させれば、上述したように、作動機構を介して第２巻取りガイド３６、第３巻取りガイド３７及び付設ガイド３８が揺動し、セット位置状態が実現される。
【００５６】
以上、本実施形態に係る回収用ペーパーマガジン３によれば、セット位置状態において感光材料Ｐが巻芯３３０への接線（より正確には、上流側の固定端から巻芯３３０への接線）よりも内側を通るよう、第１巻取りガイド３５の巻芯近傍部（即ち、第２部材３５２の先端部）を該接線よりも内側に位置させているため、第２部材３５２がテンションにより真っ直ぐになろうとする感光材料Ｐから受ける力の作用点は第２部材３５２の先端部となり、ここと第２部材３５２の揺動中心との距離が十分に長いため、モーメントの法則により、第２部材３５２に作用する力を小さくすることができる。従って、第２部材３５２から感光材料Ｐが受ける反力も必然的に小さくすることができ、その結果、感光材料Ｐがダメージを受けるのを好適に防止することができる。
【００５７】
尚、本発明に係るペーパーマガジンは、上記実施形態に限定されるものではなく、本発明の要旨を逸脱しない範囲で種々の変更が可能である。
【００５８】
例えば、上記実施形態においては、まず初めに第１巻取りガイド３５の一部（第２部材３５２）がペーパーのテンションによって本体部（第１部材３５１）側に動かされてロック解除機構が作動し、これを契機として第１巻取りガイド３５全体が動いてセット解除位置状態が実現されるようになっているが、本発明は、第１巻取りガイドにロック解除機能を設けることなく（即ち、第１巻取りガイドを他の巻取りガイドと同様に構成し）、従来技術において付設ガイド７’がペーパーのテンションによってダイレクトに押し上げられてセット解除位置状態が実現されるのと同様、第１巻取りガイドがペーパーのテンションによってダイレクトに押し上げられてセット解除位置状態が実現されるようにしてもよい。
【図面の簡単な説明】
【００５９】
【図１】本実施形態に係るペーパーマガジンを適用する写真処理装置の側面図を示す。
【図２】同写真処理装置の断面側面図を示す。
【図３】同ペーパーマガジンのうちの主としてホルダーユニットの外観斜視図を示す。
【図４】同ペーパーマガジンであって、セット位置状態における内部構成の概略側面図を示す。
【図５】同ペーパーマガジンであって、内部構成の概略斜視図を示す。
【図６】セット位置状態からセット解除位置状態に移る際の要部構成の概略側面図を示す。
【図７】同ペーパーマガジンであって、セット解除位置状態における内部構成の概略側面図を示す。
【図８】セット解除位置状態からセット位置状態に戻す際の要部構成の概略側面図を示す。
【図９】従来のペーパーマガジンの断面図であって、（イ）は、セット位置状態、（ロ）は、セット解除位置状態を示す。
【符号の説明】
【００６０】
３  回収用ペーパーマガジン        ４０３  第４リンク
３１  ペーパー受入口              ４０４  第１中間リンク
３２  マガジン本体                ４０５  第２中間リンク
３３０  巻芯                      ４０６  第３中間リンク
３５  第１巻取りガイド            ４１０  アクチュエータ
３５１  第１部材                  ４１１  駆動レバー
３５２  第２部材                  ４１１ａ  係止部
３５５  ロックピン                ４１１ｂ  円弧面（ガイド面）
３６  第２巻取りガイド            ４２０  第１操作リンク
３７  第３巻取りガイド            ４２１  第２操作リンク
３８  付設ガイド                  Ｌ  環状経路
４００  第１リンク                Ｍ  誘導経路
４０１  第２リンク                Ｐ  感光材料
４０２  第３リンク                Ｒ，Ｒ’  ロール体
【図１】
2006098713.tif 000003
【図２】
2006098713.tif 000004
【図３】
2006098713.tif 000005
【図４】
2006098713.tif 000006
【図５】
2006098713.tif 000007
【図６】
2006098713.tif 000008
【図７】
2006098713.tif 000009
【図８】
2006098713.tif 000010
【図９】
2006098713.tif 000011